(57)【要約】【課題】プロジェクタでスクリーン上に投影された画像データと、ホワイトボードに記入された画像とを関連付けて保存可能な画像形成複合装置を得る。【解決手段】複合機本体１とプロジェクタ５０とホワイトボード６０とコンピュータ７０とデジタルカメラ８０とで構成した画像形成複合装置。複合機本体１の主制御部は、コンピュータ７０から転送された画像データをプロジェクタ５０にてスクリーン５１上に投影するとともに、ホワイトボード６０に記入された画像をデジタルカメラ８０によってモニタし、投影画像データと受信したモニタ画像とを関連付けて保存する。【選択図】図１
2011101103.tif 000002
【特許請求の範囲】
【請求項１】
画像読取り機能やプリント機能を備えた画像形成複合装置において、
少なくともコンピュータ、プロジェクタ、ホワイトボード上に記入された画像を読み取る画像読取り手段のそれぞれと通信可能な通信制御部と、
前記コンピュータから転送された画像データを前記プロジェクタにて投影するとともに、前記画像読取り手段から転送された画像データを受信して前記ホワイトボード上に記入された画像をモニタし、該投影画像データと該受信モニタ画像とを関連付ける主制御部と、
を備えたことを特徴とする画像形成複合装置。
【請求項２】
前記主制御部は、前記画像読取り手段から転送されたモニタ画像を前記プロジェクタによる投影画像のページが切り替わるごとに保存し、現在ページの投影画像が投影表示されているときの受信モニタ画像から前ページの投影画像が投影表示されていたときの受信モニタ画像を削除して保存すること、を特徴とする請求項１に記載の画像形成複合装置。
【請求項３】
前記主制御部は、前記プロジェクタから投影表示されている画像データをなぞったことを検知して、その後に前記ホワイトボード上に記入された画像データの紐付け箇所として記憶し、前記プロジェクタから投影表示されている画像データにメモを合成し、前記ホワイトボード上に記入された画像データへのリンク情報を付加すること、を特徴とする請求項１又は請求項２に記載の画像形成複合装置。
【請求項４】
前記主制御部は、前記プロジェクタから投影表示されている画像データにメモを合成する際に、前記ホワイトボード上に記入された画像データに対しても前記プロジェクタから投影表示されている画像データへのリンク情報を付加すること、を特徴とする請求項３に記載の画像形成複合装置。
【請求項５】
前記主制御部は、前記プロジェクタから投影表示されている画像データへのメモの合成を、投影画像のページが切り替わるごとに行い、過去のページを再度表示させる場合は、メモが合成された画像データを投影表示すること、を特徴とする請求項３に記載の画像形成複合装置。
【請求項６】
前記主制御部は、前記リンク情報を付加する対象とならない前記ホワイトボード上に記入された画像データに対して、前記プロジェクタから投影表示されている画像データの該当ページ内の単語を抽出し、メモと一致する単語があれば、前記プロジェクタから投影表示されている画像データの該当箇所にメモの内容を追加すること、を特徴とする請求項３に記載の画像形成複合装置。
【請求項７】
前記主制御部は、前記該当ページにメモと一致する単語がなければ、該当ページの先頭に前記ホワイトボード上に記入された画像データのリンク情報を設定すること、を特徴とする請求項６に記載の画像形成複合装置。
【請求項８】
前記主制御部は、前記コンピュータから転送されて前記プロジェクタから投影表示されている画像データを該コンピュータの画面上にてマウスでなぞったことを検知すること、を特徴とする請求項３に記載の画像形成複合装置。
【請求項９】
前記主制御部は、前記画像読取り手段が前記プロジェクタから投影表示されている画像データを撮影することによって該画像データをなぞったことを検知すること、を特徴とする請求項３に記載の画像形成複合装置。
【請求項１０】
前記主制御部は、前記ホワイトボード上に記入するためのマーカーの色ごとに、重要度、発表者の少なくともいずれかを登録し、前記プロジェクタから投影表示されている画像データに対する紐付けに反映させること、を特徴とする請求項３に記載の画像形成複合装置。
【請求項１１】
前記主制御部は、前記プロジェクタから投影表示されている画像データのファイル種別ごとにメモの合成方法を変更することを特徴とする請求項３に記載の画像形成複合装置。
【請求項１２】
前記メモの合成方法は、ファイルがプレゼンテーションソフトである場合は吹出し付加処理、ファイルが画像表示ソフトである場合はしおり付加処理、ファイルが文書作成ソフト又は表計算ソフトである場合はコメント付加処理であること、を特徴とする請求項３に記載の画像形成複合装置。
【発明の詳細な説明】
【技術分野】
【０００１】
本発明は、画像形成複合装置、特に、画像読取り機能やプリント機能のみならず通信機能などを備えた画像形成複合装置に関する。
【背景技術】
【０００２】
近年、複写機においては、ネットワークに接続された端末やサーバとの通信機能や、画像をプロジェクタに転送するなどの種々の機能を備えて複合機化している。そして、この種の複合装置をプロジェクタやホワイトボードと組み合わせ、電子文書、電子画像を使ったプレゼンテーションに適用することが提案されている。
【０００３】
特許文献１には、特殊な投影板や専用ペンを使用しなくても、ホワイトボード上に書き込まれた手書きの情報をスキャナ部でスキャンすることにより、書込み画像を電子化し、プロジェクタ部が投影している画像と合成あるいは関連付けて管理する簡素で安価なプレゼンテーション機器が記載されている。
【０００４】
特許文献２には、外部記憶装置に保存してある既存のファイルの内容をスクリーンボード上に表示できるようにすることで、手書きで記述する手間を省くことができるメディアボードが記載されている。
【０００５】
特許文献３には、プロジェクタによりホワイトボードに投影されたオリジナル原稿データに対応したアノテーションデータの書き込みがなされると、オリジナル原稿データの投影を一旦停止して、オリジナル原稿データとアノテーションデータとを関連付けるリンク情報を投影し、デジタルカメラによってリンク情報とアノテーションデータとが含まれたリンク情報付画像データのキャプチャを行い、画像記憶装置へと格納する画像処理システムが記載されている。
【０００６】
プレゼンテーションではプロジェクタでスクリーン上に画像データを投影表示しながら、スクリーンとは別のホワイトボードにその場で追加事項を書き込んでいく場合が多いが、ホワイトボードに追記された情報は議事として残しておくことが困難で、そのままデータとして保存しても元の画像データとの関連が分かりずらいという問題点を有している。また、表示ページが移り変わっても、次々とホワイトボードに書き足していくと、追記された内容がどのページに対して書き込まれたものか判然としない場合がある。それを避けるには、ページの交替ごとにホワイトボードに書き込まれた内容を読み取ってプリントあるいはメモリしておき、書込みを消去しなければならず、煩雑である。
【先行技術文献】
【特許文献】
【０００７】
【特許文献１】特開２００１−１６３８４号公報
【特許文献２】特開２００５−２６８９９２号公報
【特許文献３】特開２００６−１０８８１３号公報
【発明の概要】
【発明が解決しようとする課題】
【０００８】
そこで、本発明の目的は、プロジェクタでスクリーン上に投影された画像データと、ホワイトボードに記入された画像とを関連付けて保存可能な画像形成複合装置を提供することにある。
【課題を解決するための手段】
【０００９】
以上の目的を達成するため、本発明の一形態である画像形成複合装置は、
画像読取り機能やプリント機能を備えた画像形成複合装置において、
少なくともコンピュータ、プロジェクタ、ホワイトボード上に記入された画像を読み取る画像読取り手段のそれぞれと通信可能な通信制御部と、
前記コンピュータから転送された画像データを前記プロジェクタにて投影するとともに、前記画像読取り手段から転送された画像データを受信して前記ホワイトボード上に記入された画像をモニタし、該投影画像データと該受信モニタ画像とを関連付ける主制御部と、
を備えたことを特徴とする。
【００１０】
前記画像形成複合装置において、プレゼンテーションの発表者は、画像データをプロジェクタにてスクリーン上に投影表示しながら、ホワイトボード上に関連する文字などの画像を記入していく。ホワイトボードに記入された画像はデジタルカメラやスキャナなどの画像読取り手段にてモニタされる。そして、投影画像データとモニタ画像とが関連付けられる。
【００１１】
前記画像形成複合装置において、前記主制御部は、画像読取り手段から転送されたモニタ画像をプロジェクタによる投影画像のページが切り替わるごとに保存し、現在ページの投影画像が投影表示されているときの受信モニタ画像から前ページの投影画像が投影表示されていたときの受信モニタ画像を削除して保存することが好ましい。所定ページの投影画像に関連するホワイトボードに記入された画像データのみが自動的に保存される。
【００１２】
また、前記主制御部は、プロジェクタから投影表示されている画像データをなぞったことを検知して、その後にホワイトボード上に記入された画像データの紐付け箇所として記憶し、プロジェクタから投影表示されている画像データにメモを合成し、ホワイトボード上に記入された画像データへのリンク情報を付加することが好ましい。
【００１３】
この場合、前記主制御部は、プロジェクタから投影表示されている画像データにメモを合成する際に、ホワイトボード上に記入された画像データに対してもプロジェクタから投影表示されている画像データへのリンク情報を付加することが好ましい。また、前記主制御部は、プロジェクタから投影表示されている画像データへのメモの合成を、投影画像のページが切り替わるごとに行い、過去のページを再度表示させる場合は、メモが合成された画像データを投影表示することが好ましい。さらに、前記主制御部は、リンク情報を付加する対象とならないホワイトボード上に記入された画像データに対して、プロジェクタから投影表示されている画像データの該当ページ内の単語を抽出し、メモと一致する単語があれば、プロジェクタから投影表示されている画像データの該当箇所にメモの内容を追加することが好ましい。そして、前記主制御部は、前記該当ページにメモと一致する単語がなければ、該当ページの先頭にホワイトボード上に記入された画像データのリンク情報を設定することが好ましい。
【００１４】
前記主制御部は、コンピュータから転送されてプロジェクタから投影表示されている画像データを該コンピュータの画面上にてマウスでなぞったことを検知してもよい。また、前記主制御部は、画像読取り手段がプロジェクタから投影表示されている画像データを撮影することによって該画像データをなぞったことを検知してもよい。
【００１５】
あるいは、前記主制御部は、ホワイトボード上に記入するためのマーカーの色ごとに、重要度、発表者の少なくともいずれかを登録し、プロジェクタから投影表示されている画像データに対する紐付けに反映させることが好ましい。あるいは、前記主制御部は、プロジェクタから投影表示されている画像データのファイル種別ごとにメモの合成方法を変更してもよい。メモの合成方法は、ファイルがプレゼンテーションソフトである場合は吹出し付加処理、ファイルが画像表示ソフトである場合はしおり付加処理、ファイルが文書作成ソフト又は表計算ソフトである場合はコメント付加処理であることが好ましい。
【発明の効果】
【００１６】
本発明によれば、プロジェクタでスクリーン上に投影された画像データと、ホワイトボードに記入された画像とを関連付けて保存することができ、投影画像のページごとにホワイトボードに記入された画像を識別して保存することも可能である。
【図面の簡単な説明】
【００１７】
【図１】複写機本体とその周辺機器の構成を示す説明図である。
【図２】前記複写機本体の制御部を示すブロック図である。
【図３】実施例１の説明図であり、（Ａ）はプロジェクタによる投影画面、（Ｂ）はホワイトボードへの記入例を示している。
【図４】実施例１の説明図（図３の続き）であり、（Ａ）はプロジェクタによる投影画面、（Ｂ）はホワイトボードへの記入例を示している。
【図５】実施例２の説明図であり、（Ａ）はプロジェクタによる投影画面、（Ｂ）はホワイトボードへの記入例を示している。
【図６】実施例２の説明図（図５の続き）であり、（Ａ）はプロジェクタによる投影画面、（Ｂ）はホワイトボードへの記入例を示している。
【図７】メモ保存処理の制御手順を示すフローチャート図である。
【図８】実施例３の説明図であり、（Ａ）はプロジェクタによる投影画面、（Ｂ）はホワイトボードへの記入例を示している。
【図９】リンク処理の制御手順を示すフローチャート図である。
【図１０】ファイル種別判定処理の制御手順を示すフローチャート図である。
【図１１】実施例４の説明図である。
【図１２】リンクデータ保存処理の制御手順を示すフローチャート図である。
【発明を実施するための形態】
【００１８】
以下、本発明に係る画像形成複合装置の実施例について、添付図面を参照して説明する。なお、各図において同じ部材、部分を示す符号は共通して用いている。
【００１９】
（画像形成複合装置、図１及び図２参照）
本発明の一実施例である画像形成複合装置は、図１に示すように、複合機本体１とプロジェクタ５０とホワイトボード６０とコンピュータ７０とモニタ用デジタルカメラ８０とで構成されている。複合機本体１は、従来周知である電子写真方式の多機能複写機であり、原稿画像を光学的に読み取る機能、画像データを紙にプリントする機能、ファクシミリの送受信機能などを備えている。
【００２０】
プロジェクタ５０は複合機本体１から送られてきた画像データをスクリーン５１上に投影表示する。投影すべき画像データは、例えば、コンピュータ７０から転送されたものである。ホワイトボード６０はマーカーで文字，線画などの画像を自由に記入するためのもので、記入された画像はデジタルカメラ８０によってモニタされている。なお、ホワイトボード６０自体にスキャナを備え、該スキャナをデジタルカメラ８０に代えて画像読取り手段として使用するようにしてもよい。
【００２１】
前記複合機本体１の制御部は、図２に示すように、主制御部１１を中心として、原稿画像読取り部を制御するスキャン制御部１２、プリント部を制御するプリント制御部１３、通信制御部１４、ユーザー制御部１５、ブラウザ表示部１６、ファクシミリ制御部１７、データ管理部１８、ネットワーク制御部１９にて構成されている。また、通信制御部１４には、プロジェクタ５０、ホワイトボード６０、コンピュータ７０、デジタルカメラ８０が接続されている。
【００２２】
以上の構成からなる画像形成複合装置は、会議などのプレゼンテーションの場で以下のようにして用いられる。会議発表者は資料を電子データとしてコンピュータ７０に格納しておき、必要なページをプロジェクタ５０に転送してスクリーン５１上に投影表示する。同時に、口頭で必要な説明を行いつつ、ホワイトボード６０上に文字などを記入する。そして、ページを進めて順次プロジェクタ５０から画像を投影表示しつつ、口頭での説明、ホワイトボード６０への書き込みを行っていく。
【００２３】
（実施例１、図３及び図４参照）
実施例１では、主制御部１１は、コンピュータ７０から転送された画像データをプロジェクタ５０にてスクリーン５１上に投影するとともに、デジタルカメラ８０から転送された画像データを受信してホワイトボード６０上に記入された画像をモニタし、該投影画像データと該受信モニタ画像とを関連付ける。
【００２４】
具体的には、スクリーン５１に投影表示された１ページ目の画像５２（図３（Ａ）参照）に対して、発表者が画像５２の部分ａをなぞった状態でホワイトボード６０に「ＡＢＣＤＥＦＧ」のメモを書き込んだ場合（図３（Ｂ）参照）、部分ａをなぞったことは主制御部１１によって検知される。この場合、メモ「ＡＢＣＤＥＦＧ」の画像データはデジタルカメラ８０から主制御部１１へ転送され、主制御部１１は投影画像データと受信モニタ画像とを関連付けて記憶する。即ち、メモ「ＡＢＣＤＥＦＧ」を部分ａの紐付け箇所として記憶し、投影表示されている１ページ目の画像データにメモ「ＡＢＣＤＥＦＧ」を合成して保存する。
【００２５】
さらに、図４（Ａ）に示す１ページ目の画像５２に対して、発表者が部分ｂをなぞった状態でホワイトボード６０上に図４（Ｂ）に示す「ＨＩＪＫＬＭＮＯ→ＰＱＲＳＴＵ」のメモを書き込むと、部分ｂをなぞったことは主制御部１１によって検知され、メモ「ＨＩＪＫＬＭＮＯ→ＰＱＲＳＴＵ」の画像データはデジタルカメラ８０から主制御部１１へ転送される。この場合、主制御部１１はメモ「ＨＩＪＫＬＭＮＯ→ＰＱＲＳＴＵ」を部分ｂの紐付け箇所として記憶し、投影表示されている１ページ目の画像データにメモ「ＨＩＪＫＬＭＮＯ→ＰＱＲＳＴＵ」を合成して保存する。
【００２６】
画像５２の部分ａ，ｂをなぞるとは、例えば、コンピュータ７０から転送されてプロジェクタ５０から投影表示されている画像データをコンピュータ７０の画面上にてマウスでなぞること、あるいは、デジタルカメラ８０がプロジェクタ５０から投影表示されている画像データを撮影することである。後者については図１１を参照して後述する。
【００２７】
（実施例２、図５〜図７参照）
実施例２においては、１ページ目の画像データがプロジェクタ５０からスクリーン５１に投影表示され、メモ「ＡＢＣＤＥＦＧ」がホワイトボード６０上に記入されたことは前記実施例１と同様である（図５（Ａ），（Ｂ）参照）。そして、図６（Ａ）に示す２ページ目の画像５３がスクリーン５１に投影表示され、発表者が画像５３の部分ｃをなぞった状態でホワイトボード６０上に図６（Ｂ）に示す「ＨＩＪＫＬＭＮＯ→ＰＱＲＳＴＵ」のメモを書き込んだ場合、部分ｃをなぞったことは主制御部１１によって検知され、メモ「ＨＩＪＫＬＭＮＯ→ＰＱＲＳＴＵ」の画像データはデジタルカメラ８０から主制御部１１へ転送される。この場合、１ページ目のメモ「ＡＢＣＤＥＦＧ」も含めて主制御部１１へ転送される。
【００２８】
そこで、主制御部１１は、２ページ目の受信モニタ画像としては、１ページ目の受信モニタ画像であるメモ「ＡＢＣＤＥＦＧ」を削除して保存する。さらに、主制御部１１は、メモ「ＨＩＪＫＬＭＮＯ→ＰＱＲＳＴＵ」を部分ｃの紐付け箇所として記憶し、投影表示されている２ページ目の画像データにメモ「ＨＩＪＫＬＭＮＯ→ＰＱＲＳＴＵ」を合成して保存する。以上の制御をページが切り替わるごとに実行する。そして、過去に投影表示されたページを再度表示させる場合は、メモが合成された画像データを投影表示する。
【００２９】
以上の制御手順を図７のフローチャートを参照して説明する。まず、前ページの投影表示があったことが確認されると（ステップＳ１でＹＥＳ）、前ページに対する書込みと現在投影表示されているページに対する書込みを比較し、同一部分があるか否かを判定する（ステップＳ２）。同一部分があれば（ステップＳ３でＹＥＳ）、同一部分の書込みを削除する（ステップＳ４）。そして、書き込まれた画像データをテキスト化し（ステップＳ５）、主制御部１１内のメモリに保存する（ステップＳ６）。
【００３０】
（実施例３、図８〜図１０参照）
実施例３は、投影表示されている画像データとホワイトボード６０上に記入されたメモをリンク付けする場合を示す。図８（Ａ）に示すように、１ページ目の画像データが投影表示されており、図８（Ｂ）に示すように、ホワイトボード６０上にはメモ「ＡＢＣＤＥＦＧ」とメモ「ＨＩＪＫＬＭＮＯ→ＰＱＲＳＴＵ」が記入されている。この場合、１ページ目の画像データの単語を検索し、メモ「ＡＢＣＤＥＦＧ」と一致する単語がなければ、１ページ目の画像データの先頭にホワイトボード６０上に記入されてモニタされている画像データのリンク情報を設定する。そして、画面上の「メモあり」部分をクリックすると、図８（Ｂ）に示す画像が投影表示される。
【００３１】
また、メモ「ＨＩＪＫＬＭＮＯ→ＰＱＲＳＴＵ」は、投影表示画面上でなぞられている部分ｄの紐付け箇所として記憶され、吹出しメモとして合成され、メモ「ＨＩＪＩＫＬＭＮＯ→ＰＱＲＳＴＵ」へのリンク情報を付加して保存する。
【００３２】
ここで、図９のフローチャートを参照してリンク処理の制御手順の一例を説明する。ここでは、プロジェクタ５０から投影表示されている画像データの文章を抽出し（ステップＳ１１）、リンク情報を付加する対象とならないホワイトボード６０上に記入された画像データに対して、プロジェクタ５０から投影表示されている画像データの該当ページ内の単語を抽出する（ステップＳ１２）。ページ（投影表示されている画像データ）内にメモと一致する単語があれば（ステップＳ１３でＹＥＳ）、プロジェクタ５０から投影表示されている画像データの該当箇所にメモの内容をリンク付けして追加する（ステップＳ１４）。抽出された次の単語に対しても（ステップＳ１５でＹＥＳ）、ステップＳ１３，１４を実行する。
【００３３】
投影表示されている画像データに前述のごとくメモを合成する場合、画像データのファイル種別ごとにメモの合成方法を変更することが好ましく、このような制御手順を図１０のフローチャートを参照して説明する。
【００３４】
画像データのファイルがプレゼンテーションソフトである場合は（ステップＳ２１でＹＥＳ）、吹出し付加処理を行う（ステップＳ２２）。ファイルが画像表示ソフトである場合は（ステップＳ２３でＹＥＳ）、しおり付加処理を行う（ステップＳ２４）。ファイルが文書作成ソフトである場合は（ステップＳ２５でＹＥＳ）、コメント付加処理を行う（ステップＳ２６）。ファイルが表計算ソフトである場合は（ステップＳ２７でＹＥＳ）、コメント付加処理を行う（ステップＳ２８）。
【００３５】
（実施例４、図１１及び図１２参照）
実施例４は、ホワイトボード６０上に記入するためのマーカーの色ごとに、重要度、発表者などを主制御部１１のメモリに登録しておき、プロジェクタ５０から投影表示されている画像データに対する紐付けに反映させるようにした。
【００３６】
例えば、赤色のマーカーでの書込みはＡさんであり、かつ、１番目の重要度として登録され、オレンジ色のマーカーでの書き込みはＢさんであり、かつ、２番目の重要度として登録されている。従って、図１１に示すように、赤色のマーカーでの合成メモＡに対して、主制御部１１はＡさんによる書込みであり、重要度は１番であると判断する。また、オレンジ色のマーカーでの合成メモＢに対して、主制御部１１はＢさんによる書込みであり、２番目の重要度であると判断する。
【００３７】
さらに、Ａさんが赤色のマーカーでなぞった部分ｆ、Ｂさんがオレンジ色のマーカーでなぞった部分ｇをデジタルカメラ８０でモニタすると、それらの部分ｆはＡさんがなぞり、部分ｇはＢさんがなぞったと判断する。
【００３８】
以上の制御手順は図１２のフローチャートに示すとおりである。即ち、デジタルカメラ８０にて撮像されたマーカーをトレースして検知し（ステップＳ３１）、その座標位置を保持する（ステップＳ３２）。次に、ホワイトボード６０への書込みがあると（ステップＳＳ３３でＹＥＳ）、その書込みをリンク箇所として保持し（ステップＳ３４）、トレースが解除されなければ（ステップＳ３５でＹＥＳ）、前記ステップＳ３３，Ｓ３４を実行する。
【００３９】
（他の実施例）
なお、本発明に係る画像形成複合装置は前記実施例に限定するものではなく、その要旨の範囲内で種々に変更できることは勿論である。
【産業上の利用可能性】
【００４０】
以上のように、本発明は、画像形成複合装置に有用であり、特に、プロジェクタでスクリーン上に投影された画像データと、ホワイトボードに記入された画像とを関連付けて保存可能である点で優れている。
【符号の説明】
【００４１】
１…複合機本体
１１…主制御部
１４…通信制御部
５０…プロジェクタ
５１…スクリーン
６０…ホワイトボード
７０…コンピュータ
８０…デジタルカメラ
【図１】
2011101103.tif 000003
【図２】
2011101103.tif 000004
【図３】
2011101103.tif 000005
【図４】
2011101103.tif 000006
【図５】
2011101103.tif 000007
【図６】
2011101103.tif 000008
【図７】
2011101103.tif 000009
【図８】
2011101103.tif 000010
【図９】
2011101103.tif 000011
【図１０】
2011101103.tif 000012
【図１１】
2011101103.tif 000013
【図１２】
2011101103.tif 000014